(57)【要約】【課題】省電力化を図ることのできる冷蔵庫を提供する。【解決手段】発泡断熱材３８を充填されるとともに貯蔵室を開閉する正面視略矩形の扉１５の前面にガラス板３７を配した冷蔵庫１において、扉１５が一辺に沿って該一辺の一部に凹設される凹部４０と、凹部４０に挿入した手指を掛けて扉１５を開く把手部３９とを有するとともに、ガラス板３７が凹部４０に沿って切欠いた切欠き部４１を有し、切欠き部４１の開口端に交差した対向する両側辺４１ａが開口端から離れるに従って互いに近づく方向に傾斜し、開口端の形成面に対する側辺４１ａの傾斜角度θを６５゜以下にした。【選択図】図３
2014052118.tif 000002
【特許請求の範囲】
【請求項１】
発泡断熱材を充填されるとともに貯蔵室を開閉する正面視略矩形の扉の前面にガラス板を配した冷蔵庫において、前記扉が一辺に沿って該一辺の一部に凹設される凹部と、前記凹部に挿入した手指を掛けて前記扉を開く把手部とを有するとともに、前記ガラス板が前記凹部に沿って切り欠かれた切欠き部を有し、前記切欠き部の開口端に交差した対向する両側辺が開口端から離れるに従って互いに近づく方向に傾斜し、開口端の形成面に対する前記側辺の傾斜角度を６５゜以下にしたことを特徴とする冷蔵庫。
【請求項２】
前記切欠き部の開口端に対向する底辺と前記測辺とのコーナーを曲面に形成したことを特徴とする請求項１に記載の冷蔵庫。
【請求項３】
前記コーナーの曲率半径を３０ｍｍ以上にしたことを特徴とする請求項２に記載の冷蔵庫。
【請求項４】
前記扉の一端面を覆うとともに前端を屈曲して前記把手部を形成するカバー部材と、前記ガラス板を保持する保持部と前記カバー部材に嵌合する嵌合部とを有して前記凹部を形成する保持部材とを備えることを特徴とする請求項１〜請求項３のいずれかに記載の冷蔵庫。
【発明の詳細な説明】
【技術分野】
【０００１】
本発明は、扉の前面にガラス板を配した冷蔵庫に関する。
【背景技術】
【０００２】
従来の冷蔵庫は特許文献１に開示されている。この冷蔵庫は左右端でそれぞれ枢支される左右一対の扉を備えている。図４は左側の扉の斜視図を示している。扉２０は周面及び背面を樹脂成形品から成るカバー２２で覆われ、前面をガラス板２１で覆われる。カバー２２及びガラス板２１で囲まれた内部に発泡断熱材（不図示）が充填される。
【０００３】
カバー２２の右端部には上端から下端まで延びる段差部２２ａが形成される。段差部２２ａの側壁の一部には凹部２２ｂが形成される。段差部２２ａから凹部２２ｂ内に挿入した手指を凹部２２ｂに掛けて扉２０が開かれる。
【０００４】
扉２０の前面をガラス板２１で覆うことにより、扉２０の傷付きを防止するとともに容易に清掃することができる。また、ガラス板２１によって冷蔵庫の美観を向上することができる。
【先行技術文献】
【特許文献】
【０００５】
【特許文献１】ＵＳ２０１１／００８９７９０Ａ１
【発明の概要】
【発明が解決しようとする課題】
【０００６】
しかしながら、上記従来の冷蔵庫によると、扉２０の側端部に設けた段差部２２ａによって段差部２２ａの底面と扉２０の背面との間に発泡断熱材の厚みｔが小さい薄肉部２２ｃが形成される。薄肉部２２ｃは扉２０の上下端に渡って形成されるため、扉２０の断熱性が低く、冷蔵庫の電力消費が大きい問題があった。
【０００７】
本発明は、省電力化を図ることのできる冷蔵庫を提供することを目的とする。
【課題を解決するための手段】
【０００８】
上記目的を達成するために本発明は、発泡断熱材を充填されるとともに貯蔵室を開閉する正面視略矩形の扉の前面にガラス板を配した冷蔵庫において、前記扉が一辺に沿って該一辺の一部に凹設される凹部と、前記凹部に挿入した手指を掛けて前記扉を開く把手部とを有するとともに、前記ガラス板が前記凹部に沿って切欠いた切欠き部を有し、前記切欠き部の開口端に交差した対向する両側辺が開口端から離れるに従って互いに近づく方向に傾斜し、開口端の形成面に対する前記側辺の傾斜角度を６５゜以下にしたことを特徴としている。
【０００９】
この構成によると、正面視略矩形の扉の例えば、上辺の一部に凹部が設けられ、凹部に挿入した手指を把手部に掛けて扉が開かれる。扉の前面には凹部上を切欠き部により切欠いたガラス板が配され、扉の傷付きを防止するとともに容易に清掃することができる。切欠き部の両側辺は開口端の扉上辺に対して６５゜以上の傾斜角度で傾斜する。これにより、ガラス板上に形成したけがき線に沿ってガラス板を折割して切欠き部を形成することができる。
【００１０】
また本発明は、上記構成の冷蔵庫において、前記切欠き部の開口端に対向する底辺と前記測辺とのコーナーを曲面に形成したことを特徴としている。
【００１１】
また本発明は、上記構成の冷蔵庫において、前記コーナーの曲率半径を３０ｍｍ以上にしたことを特徴としている。
【００１２】
また本発明は、上記構成の冷蔵庫において、前記扉の一端面を覆うとともに前端を屈曲して前記把手部を形成するカバー部材と、前記ガラス板を保持する保持部とカバー部材に嵌合する嵌合部とを有して前記凹部を形成する保持部材とを備えることを特徴としている。この構成によると、扉内に充填される発泡断熱材の収縮力によってカバー部材及び保持部材の収縮量が異なっても嵌合部とカバー部材との間の隙間によって吸収される。
【発明の効果】
【００１３】
本発明によると、扉の一辺の一部に凹設した凹部と凹部に挿入した手指を掛ける把手部とを有し、扉の前面に配したガラス板が凹部に沿って切欠いた切欠き部を有するので、凹部に隣接した部分の扉の厚みを大きくすることができる。従って、扉の断熱性を向上し、冷蔵庫の省電力化を図ることができる。この時、ガラス板の開口端の形成面に対する側辺の傾斜角度を６５゜以下にしたので、ガラス板をけがき線上で折割して容易に切欠き部を形成することができる。従って、ガラス板の歩留まりを向上するとともに、扉の前面の広い範囲にわたって傷付きを防止して清掃性を向上することができる。
【図面の簡単な説明】
【００１４】
【図１】本発明の実施形態の冷蔵庫を示す正面図
【図２】本発明の実施形態の冷蔵庫の冷凍室の扉を示す斜視図
【図３】本発明の実施形態の冷蔵庫の冷凍室の扉のガラス板を示す正面図
【図４】従来の冷蔵庫の扉を示す斜視図
【発明を実施するための形態】
【００１５】
＜第１実施形態＞
以下に本発明の実施形態を図面を参照して説明する。図１は一実施形態の冷蔵庫を示す正面図である。冷蔵庫１は断熱箱体（不図示）の上部に冷蔵室２が設けられる。冷蔵室２の下方には製氷室３及び冷凍室４が左右に並設される。製氷室３及び冷凍室４の下方には冷凍室５が設けられ、冷凍室５の下方には野菜室６が設けられる。
【００１６】
冷蔵室２は貯蔵物を冷蔵保存し、野菜室６は冷蔵室２よりも高温に維持して野菜等の貯蔵物を冷蔵保存する。製氷室３、冷凍室４及び冷凍室５は連通し、製氷室３で製氷及び貯氷を行うとともに冷凍室４、５で貯蔵物を冷凍保存する。
【００１７】
冷蔵室２は左右端でそれぞれ枢支された観音開きの扉１１、１２により開閉される。製氷室３は貯氷容器（不図示）と一体の引出し式の扉１３により開閉される。冷凍室４、５は貯蔵物の収納ケース（不図示）と一体の引出し式の扉１４、１５によりそれぞれ開閉される。野菜室６は野菜ケース（不図示）と一体の引出し式の扉１６により開閉される。扉１１〜１６は内部に発泡断熱材３８（図２参照）が充填されている。
【００１８】
図２は冷凍室５の扉１５の斜視図であり、図１のＡ−Ａ線で切断した断面を示している。野菜室６の扉１６も同様に形成される。図１、図２において、扉１５は正面視矩形に形成され、上面カバー３１、下面カバー３４、側面カバー３２、３３、背面カバー３５及びガラス板３７により覆われる。
【００１９】
上面カバー３１（カバー部材）、下面カバー３４、側面カバー３２、３３及び背面カバー３５は樹脂成形品により形成され、それぞれ扉１５の上面、下面、両側面及び背面を覆う。ガラス板３７は例えば、厚さが３．２ｍｍのソーダガラスにより形成され、扉１５の前面を覆う。
【００２０】
また、扉１５の一辺の上辺に沿って扉１５の左右方向の中央部には樹脂成形品の保持部材３６が配される。保持部材３６は扉１５の前面を覆い、上面及び前面を開放した凹部４０を形成する。これにより、扉１５の上辺の中央部に凹部４０が凹設される。保持部材３６の上端には上面カバー３１に突設したリブ３１ａに嵌合する嵌合部３６ａが設けられ、下端にはガラス板３７を挟持して保持する保持部３６ｂが設けられる。
【００２１】
これにより、発泡断熱材３８の収縮力によって上面カバー３１と保持部材３６との収縮量が異なっても嵌合部３６ａとリブ３１ａとの間の隙間によって吸収される。従って、発泡断熱材３８の収縮による扉１５の変形を防止することができる。
【００２２】
上面カバー３１は前端を下方に屈曲して凹部４０の前方に配される把手部３９を有している。凹部４０に挿入された手指を把手部３９に掛け、扉１５を牽引して開くことができる。凹部４０が扉１５の上辺の一部に設けられるため、凹部４０の両側方に隣接した部分の扉１５の厚みを大きくすることができる。これにより、扉１５の断熱性を向上することができる。
【００２３】
図３はガラス板３７の正面図を示している。上面カバー３１、下面カバー３４及び側面カバー３２、３３には保持部材３６の保持部３６ｂ（図２参照）と同様の保持部が形成され、ガラス板３７は保持部３６ｂを含む各保持部により周囲を保持される。ガラス板３７の上端の中央部には凹部４０（図２参照）に沿って切り欠かれた切欠き部４１が設けられる。これにより、凹部４０の両側方に隣接した部分はガラス板３７で覆われ、扉１５の前面の広い範囲にわたって傷付きを防止して清掃性を向上することができる。
【００２４】
切欠き部４１は扉１５の上辺に沿って開口端を有した略台形形状に形成される。切欠き部４１はダイヤモンド片を有するけがき針やレーザー加工等によって所定深さのけがき線をガラス板３７上に描画し、手指等によってけがき線上を折割して形成される。
【００２５】
この時、切欠き部４１の開口端に交差する両側辺４１ａは開口端から離れるに従って互いに近づく方向に傾斜し、開口端の形成面に対する側辺４１ａの傾斜角度θが６５゜以下に形成される。傾斜角度θが６５゜よりも大きい場合は切欠き部４１の折割時にガラス板３７に割れが発生し易く、ガラス板３７の歩留まりが低下する。このため、機械加工による切断によって切欠き部４１を形成する必要があり、ガラス板３７のコストが増加する。
【００２６】
これに対して、傾斜角度θを６５゜以下に形成すると、手指等による折割によって切欠き部４１を有したガラス板３７を高い歩留まりで容易に形成することができる。例えば、ガラス板３７が３．２ｍｍ厚や４ｍｍ厚のソーダガラスから成る場合に、傾斜角度θが６５゜以下の切欠き部４１を形成してガラス板３７を製造上支障のない歩留まりで製造することができた。
【００２７】
また、切欠き部４１の開口端に対向した底辺４１ｂと側片４１ａとのコーナーを曲面にすると、切欠き部４１の折割時の割れを更に低減することができる。この時、該コーナーの曲率半径Ｒを３０ｍｍ以上に形成すると、３．２ｍｍ厚や４ｍｍ厚のソーダガラスから成るガラス板３７の割れを殆ど防止することができた。
【００２８】
本実施形態によると、扉１５の上辺の一部に凹設した凹部４０と凹部４０に挿入した手指を掛ける把手部３９とを有し、扉１５の前面に配したガラス板３７が凹部４０に沿って切欠いた切欠き部４１を有するので、凹部４０に隣接した部分の扉１５の厚みを大きくすることができる。従って、扉１５の断熱性を向上し、冷蔵庫１の省電力化を図ることができる。この時、ガラス板３７の開口端の形成面に対する側辺４１ａの傾斜角度を６５゜以下にしたので、ガラス板３７をけがき線上で折割して容易に切欠き部４１を形成することができる。従って、ガラス板３７の歩留まりを向上するとともに、扉１５の前面の広い範囲にわたって傷付きを防止して清掃性を向上することができる。
【００２９】
また、切欠き部４１の開口端に対向する底辺４１ｂと測辺４１ａとのコーナーを曲面に形成したので、ガラス板３７の歩留まりをより向上することができる。この時、コーナーの曲率半径を３０ｍｍ以上にすると、ガラス板３７の歩留まりをさらに向上することができる。
【００３０】
また、扉１５の一端面を覆って把手部３９を形成する上面カバー３１（カバー部材）と、ガラス板３７を保持する保持部３６ｂ及びリブ３１ａに嵌合する嵌合部３６ａを有して凹部４０を形成する保持部材３６とを備える。これにより、発泡断熱材３８の収縮力によって上面カバー３１と保持部材３６との収縮量が異なっても嵌合部３６ａとリブ３１ａとの間の隙間によって吸収される。従って、発泡断熱材３８の収縮による扉１５の変形を防止することができる。
【００３１】
本実施形態において、冷凍室５及び野菜室６の扉１５、１６の上辺に沿って凹部４０及び切欠き部４１を設けているが、製氷室３や冷凍室４の扉１３、１４の上辺に沿って同様の凹部４０及び切欠き部４１を設けてもよい。また、冷蔵室２の扉１１、１２の側辺に沿って側辺の一部に凹部４０及び切欠き部４１を設けてもよい。
【産業上の利用可能性】
【００３２】
本発明によると、扉の前面にガラス板を配した冷蔵庫に利用することができる。
【符号の説明】
【００３３】
１    冷蔵庫
２    冷蔵室
３    製氷室
４、５  冷凍室
６    野菜室
１１〜１６、２０  扉
２１、３７  ガラス板
２２    段差部
３１    上面カバー
３２、３３  側面カバー
３４    下面カバー
３５    背面カバー
３６    保持部材
３６ａ  嵌合部
３６ｂ  保持部
３８    発泡断熱材
３９    把手部
４０    凹部
４１    切欠き部
【図１】
2014052118.tif 000003
【図２】
2014052118.tif 000004
【図３】
2014052118.tif 000005
【図４】
2014052118.tif 000006